(57)【要約】【課題】高画質の映像コンテンツを機器間で円滑に通信する。【解決手段】１または２以上の映像処理装置から前記１または２以上の映像処理装置の各々の装置情報を受信する通信部と、前記通信部により受信された１または２以上の装置情報に基づき、前記１または２以上の映像処理装置の各々が高画質機能を有するか否かを判定し、ここで、前記高画質機能は４Ｋ以上のいずれかの高画質に対応する機能である、判定部と、を備え、前記通信部は、前記高画質の映像コンテンツを、前記判定部により前記高画質機能を有すると判定された映像処理装置に送信する、映像通信装置。【選択図】図２
2019176262.tif 000002
【特許請求の範囲】
【請求項１】
１または２以上の映像処理装置から前記１または２以上の映像処理装置の各々の装置情報を受信する通信部と、
前記通信部により受信された１または２以上の装置情報に基づき、前記１または２以上の映像処理装置の各々が高画質機能を有するか否かを判定し、ここで、前記高画質機能は４Ｋ以上のいずれかの高画質に対応する機能である、判定部と、
を備え、
前記通信部は、前記高画質の映像コンテンツを、前記判定部により前記高画質機能を有すると判定された映像処理装置に送信する、映像通信装置。
【請求項２】
前記映像通信装置は、前記判定部による判定結果に基づき、映像コンテンツの送信先の映像処理装置の選択画面を生成する表示制御部をさらに備え、
前記通信部は、前記映像処理装置の選択画面において選択された映像処理装置に前記高画質の映像コンテンツを送信する、請求項１に記載の映像通信装置。
【請求項３】
前記映像処理装置の選択画面は、前記１または２以上の映像処理装置の各々を示す表示、および前記１または２以上の映像処理装置の各々が前記高画質機能を有するか否かを示す表示を含む、請求項２に記載の映像通信装置。
【請求項４】
前記映像コンテンツの画質が前記高画質である場合、前記映像処理装置の選択画面には、前記１または２以上の映像処理装置のうちで、前記高画質機能を有する映像処理装置を示す表示は選択可能に表示され、前記高画質機能を有さない映像処理装置を示す表示は選択可能に表示されない、請求項２に記載の映像通信装置。
【請求項５】
前記映像処理装置の選択画面は、前記１または２以上の映像処理装置の各々を示す表示を含み、
前記映像コンテンツの画質が前記高画質であり、かつ、前記映像処理装置の選択画面において前記高画質機能を有さない映像処理装置が選択された場合、前記表示制御部は前記映像処理装置における前記映像コンテンツの処理が不可であることを示す表示を前記映像処理装置の選択画面に配置する、請求項２に記載の映像通信装置。
【請求項６】
前記通信部は、前記装置情報として、ＵＰｎＰにおいて定義されるＭ−Ｓｅａｒｃｈに対する応答情報に含まれるＵＲＬを指定して取得されるｄｅｖｉｃｅ  ｄｅｓｃｒｉｐｔｉｏｎ、および、ＧｅｔＰｒｏｔｏｃｏｌＩｎｆｏにより取得される前記映像処理装置がサポートする機能の一覧、を受信する、請求項１に記載の映像通信装置。
【請求項７】
前記ｄｅｖｉｃｅ  ｄｅｓｃｒｉｐｔｉｏｎには、複数のメディアプロファイルが属するデバイスプロファイルが含まれる、請求項６に記載の映像通信装置。
【請求項８】
前記通信部は、前記映像処理装置の選択画面において選択された映像処理装置から、当該映像処理装置による記録先となる記録媒体に関する媒体情報を受信し、
前記判定部は、前記記録媒体への前記高画質の映像コンテンツの記録が可能であるか否かを前記媒体情報に基づいて判定し、
前記表示制御部は、前記判定部による判定結果に基づき、前記映像コンテンツの記録先の記録媒体の選択画面を生成する、請求項２に記載の映像通信装置。
【請求項９】
前記記録媒体の選択画面は、１または２以上の前記記録媒体の各々を示す表示、および前記１または２以上の記録媒体の各々への前記高画質の映像コンテンツの記録が可能であるか否かを示す表示を含む、請求項８に記載の映像通信装置。
【請求項１０】
前記映像コンテンツの画質が前記高画質である場合、前記記録媒体の選択画面には、前記高画質の映像コンテンツに対応する記録媒体を示す表示は選択可能に表示され、前記高画質の映像コンテンツに対応しない記録媒体を示す表示は選択可能に表示されない、請求項８に記載の映像通信装置。
【請求項１１】
前記記録媒体の選択画面は、１または２以上の前記記録媒体の各々を示す表示を含み、
前記映像コンテンツの画質が前記高画質であり、かつ、前記記録媒体の選択画面において前記高画質の映像コンテンツに対応しない記録媒体が選択された場合、前記表示制御部は前記記録媒体への前記映像コンテンツの記録が不可であることを示す表示を前記記録媒体の選択画面に配置する、請求項８に記載の映像通信装置。
【請求項１２】
前記通信部は、前記映像処理装置の選択画面において選択された映像処理装置に、前記記録媒体の選択画面において選択された記録媒体を指定する情報、および前記映像コンテンツのメディアプロファイルを示す情報を送信する、請求項８に記載の映像通信装置。
【請求項１３】
１または２以上の映像処理装置から前記１または２以上の映像処理装置の各々の装置情報を受信することと、
受信された１または２以上の装置情報に基づき、前記１または２以上の映像処理装置の各々が高画質機能を有するか否かをプロセッサにより判定することと、ここで、前記高画質機能は４Ｋ以上のいずれかの高画質に対応する機能であり、
前記高画質の映像コンテンツを、前記高画質機能を有すると判定された映像処理装置に送信することと、
を含む、映像通信方法。
【請求項１４】
４Ｋ以上のいずれかの高画質に対応する高画質機能を有する映像処理部と、
映像通信装置からの要求に応じて、前記映像処理部が有する前記高画質機能を示す情報を含む装置情報を前記映像通信装置に送信し、前記映像通信装置から前記高画質の映像コンテンツを受信する通信部と、
を備える、映像処理装置。
【請求項１５】
映像通信装置から装置情報の要求を受信することと、
４Ｋ以上のいずれかの高画質に対応する高画質機能を示す情報を含む前記装置情報の前記映像通信装置への送信をプロセッサにより制御することと、
前記映像通信装置から前記高画質の映像コンテンツを受信することと、
を含む、情報処理方法。
【発明の詳細な説明】
【技術分野】
【０００１】
本開示は、映像通信装置、映像通信方法、映像処理装置および情報処理方法に関する。
【背景技術】
【０００２】
ＵＰｎＰ（Ｕｎｉｖｅｒｓａｌ  Ｐｌｕｇ  ａｎｄ  Ｐｌａｙ）規格およびＤＬＮＡ（登録商標）（Ｄｉｇｉｔａｌ  Ｌｉｖｉｎｇ  Ｎｅｔｗｏｒｋ  Ａｌｌｉａｎｃｅ）ガイドラインに従い、家庭内の機器を相互に接続してホームネットワークを構築する技術が注目を集めている。ホームネットワークにおいては、例えば、映像コンテンツを受信する映像通信装置、および映像コンテンツを記録する映像処理装置が接続され、映像通信装置が映像コンテンツを映像処理装置に送信することが可能である。このようなホームネットワークについては例えば特許文献１に開示されている。【０００３】
また、近年、より高画質な映像コンテンツの放送への注目が高まっている。高画質な映像コンテンツとして、例えば、４Ｋの映像コンテンツ、８Ｋの映像コンテンツの放送が予定されている。
【先行技術文献】
【特許文献】
【０００４】
【特許文献１】特開２００９−２１８８４４号公報
【発明の概要】
【発明が解決しようとする課題】
【０００５】
しかし、現時点では、ホームネットワークにおいて映像通信装置および映像処理装置が４Ｋおよび８Ｋなどの高画質の映像コンテンツを通信するためのプロトコルが定められていない。このため、高画質の映像コンテンツの放送が開始されても、ホームネットワーク内で高画質の映像コンテンツを十分に利用することが困難となることが想定される。【０００６】
そこで、本開示では、高画質の映像コンテンツを機器間で円滑に通信することが可能な、新規かつ改良された映像通信装置、映像通信方法、映像処理装置および情報処理方法を提案する。
【課題を解決するための手段】
【０００７】
本開示によれば、１または２以上の映像処理装置から前記１または２以上の映像処理装置の各々の装置情報を受信する通信部と、前記通信部により受信された１または２以上の装置情報に基づき、前記１または２以上の映像処理装置の各々が高画質機能を有するか否かを判定し、ここで、前記高画質機能は４Ｋ以上のいずれかの高画質に対応する機能である、判定部と、を備え、前記通信部は、前記高画質の映像コンテンツを、前記判定部により前記高画質機能を有すると判定された映像処理装置に送信する、映像通信装置が提供される。【０００８】
また、本開示によれば、１または２以上の映像処理装置から前記１または２以上の映像処理装置の各々の装置情報を受信することと、受信された１または２以上の装置情報に基づき、前記１または２以上の映像処理装置の各々が高画質機能を有するか否かをプロセッサにより判定することと、ここで、前記高画質機能は４Ｋ以上のいずれかの高画質に対応する機能であり、前記高画質の映像コンテンツを、前記高画質機能を有すると判定された映像処理装置に送信することと、を含む、映像通信方法が提供される。【０００９】
また、本開示によれば、４Ｋ以上のいずれかの高画質に対応する高画質機能を有する映像処理部と、映像通信装置からの要求に応じて、前記映像処理部が有する前記高画質機能を示す情報を含む装置情報を前記映像通信装置に送信し、前記映像通信装置から前記高画質の映像コンテンツを受信する通信部と、を備える、映像処理装置が提供される。【００１０】
また、本開示によれば、映像通信装置から装置情報の要求を受信することと、４Ｋ以上のいずれかの高画質に対応する高画質機能を示す情報を含む前記装置情報の前記映像通信装置への送信をプロセッサにより制御することと、前記映像通信装置から前記高画質の映像コンテンツを受信することと、を含む、情報処理方法が提供される。
【発明の効果】
【００１１】
以上説明したように本開示によれば、高画質の映像コンテンツを機器間で円滑に通信することが可能である。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】本開示の実施形態による映像通信システムを示す説明図である。
【図２】本開示の実施形態による放送受信ＳＴＢ２０の構成を示す説明図である。
【図３】本開示の実施形態によるレコーダ３０の構成を示す説明図である。
【図４】本開示の実施形態による映像通信システムの動作概要を示す説明図である。
【図５】機器の選択のための詳細な動作を示す説明図である。
【図６】機器の選択画面の具体例を示す説明図である。
【図７】機器の選択画面の変形例を示す説明図である。
【図８】機器の選択画面のさらなる変形例を示す説明図である。
【図９】記録媒体の選択のための詳細な動作を示す説明図である。
【図１０】記録媒体の選択画面の具体例を示す説明図である。
【図１１】記録媒体の選択画面の変形例を示す説明図である。
【図１２】記録媒体の選択画面の他の変形例を示す説明図である。
【図１３】記録媒体の選択画面のさらなる変形例を示す説明図である。
【図１４】映像コンテンツのアップロードのための詳細な動作を示す説明図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、複数の構成要素の各々に同一符号のみを付する。
【００１５】
また、以下に示す項目順序に従って本開示を説明する。
１．映像通信システムの概要
２．放送受信ＳＴＢの構成
３．レコーダの構成
４．動作概要
５．機器の選択
６．記録媒体の選択
７．映像コンテンツの選択
８．映像コンテンツのアップロード
９．作用効果
１０．変形例
【００１６】
＜１．映像通信システムの概要＞
本開示の実施形態は、主に、家庭内のデバイス間で映像コンテンツを通信するための映像通信システムに関する。以下、図１を参照し、本開示の実施形態による映像通信システムの概要を説明する。
【００１７】
図１は、本開示の実施形態による映像通信システムを示す説明図である。図１に示したように、本開示の実施形態による映像通信システムは、放送受信ＳＴＢ（Ｓｅｔ  Ｔｏｐ  Ｂｏｘ）２０、レコーダ３０、および１または２以上のデバイス４０（図１に示した例では、デバイス４０＃１およびデバイス４０＃２）を有する。放送受信ＳＴＢ２０、レコーダ３０、および１または２以上のデバイス４０は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）ルータ５０を介して、ＬＡＮなどの有線またはＷｉＦｉなどの無線で接続されることにより、１つのネットワークを形成する。
【００１８】
（放送受信ＳＴＢ）
放送受信ＳＴＢ２０は、地上波デジタル放送、衛星放送、ケーブルテレビ放送またはＩＰ放送などにより放送される映像コンテンツを受信し、当該映像コンテンツを表示装置で表示可能な信号形式に変換する。放送受信ＳＴＢ２０は、受信した映像コンテンツを放送受信ＳＴＢ２０に接続されているレコーダ３０およびデバイス４０などの他の機器に送信する映像通信装置である。放送受信ＳＴＢ２０は、リアルタイムで放送されている映像コンテンツを送信してもよいし、内蔵する記憶部に記憶された映像コンテンツを送信してもよい。放送受信ＳＴＢ２０は、４Ｋ以上の高画質に対応する高画質機能を有し、高画質の映像コンテンツの放送信号を処理することも可能である。
【００１９】
なお、放送受信ＳＴＢ２０は、映像コンテンツが圧縮された状態で映像コンテンツを送信可能である。このため、放送受信ＳＴＢ２０による映像コンテンツの送信は、デコードされたコンテンツを送信するＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）と比較して、低トラフィックおよび短時間で行われ得る。また、放送受信ＳＴＢ２０による映像コンテンツの送信であれば、映像コンテンツのチャプター情報などの付加情報を維持できる。
【００２０】
（レコーダ）
レコーダ３０は、映像コンテンツを記録媒体に記録する機能を有する映像処理装置である。レコーダ３０は、例えば、放送受信ＳＴＢ２０から送信された映像コンテンツを受信し、受信した映像コンテンツをＨＤＤ（Ｈａｒｄ  Ｄｉｓｃ  Ｄｒｉｖｅ）、またはメディアドライブの一例であるＢＤドライブに装填されているＢＤ（リムーバブルメディア）に記録する。レコーダ３０は４Ｋ以上の高画質の映像コンテンツに対応する高画質機能を有し、高画質の映像コンテンツをＨＤＤに記録可能である。
【００２１】
なお、ＢＤには、４Ｋ以上の映像コンテンツに対応しているＢＤ、および４Ｋ以上の映像コンテンツに非対応であるＢＤが存在し得る。
【００２２】
（デバイス）
デバイス４０は、放送受信ＳＴＢ２０と通信可能に接続された機器である。デバイス４０は、放送受信ＳＴＢ２０から送信された映像コンテンツを受信する機能、および受信した映像コンテンツを表示または記録する機能を有してもよい。
【００２３】
（背景）
放送受信ＳＴＢ２０のユーザは、放送受信ＳＴＢ２０により受信された映像コンテンツをネットワーク内の機器に記録することを望む場合がある。この場合、放送受信ＳＴＢ２０は、ＵＰｎＰ（Ｕｎｉｖｅｒｓａｌ  Ｐｌｕｇ  ａｎｄ  Ｐｌａｙ）規格に従う通信により、ネットワーク内の機器から映像コンテンツの記録機能を有する機器を探し、当該機器に映像コンテンツを送信する。
【００２４】
しかし、現時点では、ネットワーク内の各機器が高画質機能を有するか否かを各機器が示すためのプロトコルが定められていない。すなわち、ユーザが高画質の映像コンテンツの記録を望んでも、各機器が高画質機能を有しているか否かを放送受信ＳＴＢが把握する手段が存在しないので、高画質の映像コンテンツが放送受信ＳＴＢから適切な機器に送信されないこと懸念される。また、ＴＶに接続されているＨＤＤには映像コンテンツを記録可能であるが、当該映像コンテンツはデバイスバインドであり、当該映像コンテンツを記録したＴＶでしか再生されない。このため、ＨＤＤの容量が満たされると、映像コンテンツを削除してＨＤＤの容量に空きを作ることが行われる。
【００２５】
そこで、上記事情を一着眼点にして本開示の実施形態が創作されるに至った。本開示の実施形態によれば、高画質の映像コンテンツを機器間で円滑に通信することが可能となる。以下、このような本開示の実施形態の構成および動作を順次詳細に説明する。
【００２６】
＜２．放送受信ＳＴＢの構成＞
図２は、本開示の実施形態による放送受信ＳＴＢ２０の構成を示す説明図である。図２に示したように、本開示の実施形態による放送受信ＳＴＢ２０は、放送受信部２２０、操作部２３０、制御部２４０、記憶部２５０および通信部２６０を有する。
【００２７】
放送受信部２２０は、地上波デジタル放送、衛星放送、ケーブルテレビ放送またはＩＰ放送などにより放送される映像コンテンツを受信し、当該映像コンテンツを表示装置で表示可能な信号形式に変換する。
【００２８】
操作部２３０は、放送受信ＳＴＢ２０のユーザが放送受信ＳＴＢ２０に情報や指示を操作により入力するための構成である。操作部２３０は、ボタン、ダイヤルまたはタッチパネルなどの構造体であってもよいし、リモートコントローラから操作信号を受光する受光部であってもよい。ユーザは、操作部２３０への操作により、例えば、映像コンテンツの選択、映像コンテンツの送信先となる機器の選択、および映像コンテンツの記録先となる記録媒体の選択などを行うことが可能である。
【００２９】
制御部２４０は、放送受信ＳＴＢ２０の動作全般を制御する。例えば、制御部２４０は、通信部２６０と他の機器とのＵＰｎＰに従う通信を制御する。また、制御部２４０は、映像コンテンツの選択画面、機器の選択画面および記録先の選択画面などを生成し、図示しない表示装置に各選択画面を表示させる表示制御部としても機能する。また、制御部２４０は、他の各機器から取得される後述する装置情報に基づき、他の各機器が高画質機能を有するか否かを判定する判定部としての機能も有する。
【００３０】
記憶部２５０は、放送受信ＳＴＢ２０の動作に用いられる情報を記憶する。また、記憶部２５０は、放送受信部２２０により受信された映像コンテンツを記憶する。
【００３１】
通信部２６０は、他の機器とのインタフェースであり、他の機器と多様な情報を通信する。例えば、通信部２６０は、ＵＰｎＰに従ってＭ−ＳｅａｒｃｈおよびＨＴＴＰ  ＧＥＴなどをネットワーク上の機器に送信し、ネットワーク上の機器から応答を受信する。通信部２６０がネットワーク上の機器から受信する応答には、機器の能力およびサポート機能などを示すｄｅｖｉｃｅ  ｄｅｓｃｒｉｐｔｉｏｎ、およびサポートしているビデオ機能の一覧などの装置情報が含まれる。また、通信部２６０は、高画質の映像コンテンツを他の機器に送信することもできる。
【００３２】
＜３．レコーダの構成＞
以上、本開示の実施形態による放送受信ＳＴＢ２０の構成を説明した。続いて、図３を参照し、本開示の実施形態によるレコーダ３０の構成を説明する。
【００３３】
図３は、本開示の実施形態によるレコーダ３０の構成を示す説明図である。図３に示したように、本開示の実施形態によるレコーダ３０は、制御部３４０、通信部３６０、ＨＤＤ３７０およびＢＤドライブ３８０を有する。
【００３４】
制御部３４０は、レコーダ３０の動作全般を制御する。例えば、制御部３４０は、通信部３６０と他の機器（例えば、放送受信ＳＴＢ２０）とのＵＰｎＰに従う通信を制御する。また、制御部３４０は、通信部３６０により受信された映像コンテンツのＨＤＤ３７０またはＢＤドライブ３８０による記録を制御する映像処理部としても機能する。
【００３５】
通信部３６０は、他の機器とのインタフェースであり、他の機器と多様な情報を通信する。例えば、通信部３６０は、ＵＰｎＰに従ってＭ−ＳｅａｒｃｈおよびＨＴＴＰ  ＧＥＴなど受信し、Ｍ−ＳｅａｒｃｈおよびＨＴＴＰ  ＧＥＴなどへの応答を送信する。また、通信部３６０は、放送受信ＳＴＢ２０から送信された高画質の映像コンテンツも受信可能である。
【００３６】
ＨＤＤ３７０は、レコーダ３０で用いられる記録媒体の一例である。ＨＤＤ３７０には、高画質の映像コンテンツを記録可能である。ＢＤドライブ３８０は、ＢＤドライブ３８０に装填されたＢＤなどの記録媒体に映像コンテンツを記録する機能を有する。ＢＤドライブ３８０は高画質の映像コンテンツに対応していてもよいし、高画質の映像コンテンツに対応していなくてもよい。
【００３７】
＜４．動作概要＞
以上、本開示の実施形態による放送受信ＳＴＢ２０およびレコーダ３０の構成を説明した。続いて、本開示の実施形態による映像通信システムの動作概要を説明する。
【００３８】
図４は、本開示の実施形態による映像通信システムの動作概要を示す説明図である。図４に示したように、映像通信システムにおいては、まず、映像コンテンツの送信先となる機器の選択のための処理が行われる（Ｓ４１０）。
【００３９】
次に、選択された機器におけるいずれの記録媒体に映像コンテンツを記録するかを選択するための処理が行われる（Ｓ４２０）。
【００４０】
その後、送信対象となる映像コンテンツの選択が行われると（Ｓ４３０）、映像コンテンツのアップロード（送信）が行われる（Ｓ４４０）。
【００４１】
なお、上記では、機器の選択および記録媒体の選択の後に映像コンテンツの選択が行われる例を説明したが、映像コンテンツの選択が行われた後に、機器の選択および記録媒体の選択が行われてもよい。
【００４２】
ここで、映像コンテンツのメディアプロファイルを整理する。映像コンテンツのメディアプロファイルとしては、以下の１９通りのメディアプロファイルが想定される。なお、以下のメディアプロファイルの表記は、Ｖｃｏｄｅｃ／Ｓｙｓｔｅｍ／ＶＲｅｓｏｌｕｔｉｏｎ／Ａｕｄｉｏ／Ｓｕｂｔｉｔｌｅ、に則った表記である。
【００４３】
−２Ｋ
（１）ＭＰＥＧ２−ＴＳ／ＨＥＶＣ／ＭＰＥＧ２  ＡＡＣ
−４Ｋ（＋ＨＤＲ）
（２）ＭＰＥＧ２−ＴＳ／ＨＥＶＣ／ＳＤＲ／ＭＰＥＧ２  ＡＡＣ
（３）ＭＰＥＧ２−ＴＳ／ＨＥＶＣ／ＨＬＧ／ＭＰＥＧ２  ＡＡＣ
（４）ＭＰＥＧ２−ＴＳ／ＨＥＶＣ／ＳＤＲ／ＭＰＥＧ４  ＡＡＣ  
（５）ＭＭＴ，ＴＬＶ／ＨＥＶＣ／ＳＤＲ／ＭＰＥＧ４ＡＡＣ
（６）ＭＰＥＧ２−ＴＳ／ＨＥＶＣ／ＳＤＲ／ＭＰＥＧ４  ＡＬＳ  
（７）ＭＭＴ，ＴＬＶ／ＨＥＶＣ／ＳＤＲ／ＭＰＥＧ  ４ＡＬＳ
（８）ＭＰＥＧ２−ＴＳ／ＨＥＶＣ／ＨＬＧ／ＭＰＥＧ４  ＡＡＣ
（９）ＭＭＴ，ＴＬＶ／ＨＥＶＣ／ＨＬＧ／ＭＰＥＧ４ＡＡＣ
（１０）ＭＰＥＧ２−ＴＳ／ＨＥＶＣ／ＨＬＧ／ＭＰＥＧ４  ＡＬＳ
（１１）ＭＭＴ，ＴＬＶ／ＨＥＶＣ／ＨＬＧ／ＭＰＥＧ４  ＡＬＳ
−８Ｋ（＋ＨＤＲ）
（１２）ＭＰＥＧ２−ＴＳ／ＨＥＶＣ／ＳＤＲ／ＭＰＥＧ４  ＡＡＣ
（１３）ＭＭＴ，ＴＬＶ／ＨＥＶＣ／ＳＤＲ／ＭＰＥＧ４ＡＡＣ
（１４）ＭＰＥＧ２−ＴＳ／ＨＥＶＣ／ＳＤＲ／ＭＰＥＧ４  ＡＬＳ
（１５）ＭＭＴ，ＴＬＶ／ＨＥＶＣ／ＳＤＲ／ＭＰＥＧ４  ＡＬＳ
（１６）ＭＰＥＧ２−ＴＳ／ＨＥＶＣ／ＨＬＧ／ＭＰＥＧ４  ＡＡＣ  
（１７）ＭＭＴ，ＴＬＶ／ＨＥＶＣ／ＨＬＧ／ＭＰＥＧ４ＡＡＣ
（１８）ＭＰＥＧ２−ＴＳ／ＨＥＶＣ／ＨＬＧ／ＭＰＥＧ４  ＡＬＳ  
（１９）ＭＭＴ，ＴＬＶ／ＨＥＶＣ／ＨＬＧ／ＭＰＥＧ４  ＡＬＳ
【００４４】
上記の１９通りのメディアプロファイルは、例えば以下のように定義可能である。
１．ＨＥＶＣ＿ＴＳ＿ＨＤ＿Ｍ２ＡＡＣ
２．ＨＥＶＣ＿ＴＳ＿４Ｋ＿ＳＤＲ＿Ｍ２ＡＡＣ
３．ＨＥＶＣ＿ＴＳ＿４Ｋ＿ＨＬＧ＿Ｍ２ＡＡＣ
４．ＨＥＶＣ＿ＴＳ＿４Ｋ＿ＳＤＲ＿Ｍ４ＡＡＣ
５．ＨＥＶＣ＿ＭＭＴＴＬＶ＿４Ｋ＿ＳＤＲ＿Ｍ４ＡＡＣ
６．ＨＥＶＣ＿ＴＳ＿４Ｋ＿ＳＤＲ＿Ｍ４ＡＬＳ
７．ＨＥＶＣ＿ＭＭＴＴＬＶ＿４Ｋ＿ＳＤＲ＿Ｍ４ＡＬＳ
８．ＨＥＶＣ＿ＴＳ＿４Ｋ＿ＨＬＧ＿Ｍ４ＡＡＣ
９．ＨＥＶＣ＿ＭＭＴＴＬＶ＿４Ｋ＿ＨＬＧ＿Ｍ４ＡＡＣ
１０．ＨＥＶＣ＿ＴＳ＿４Ｋ＿ＨＬＧ＿Ｍ４ＡＬＳ
１１．ＨＥＶＣ＿ＭＭＴＴＬＶ＿４Ｋ＿ＨＬＧ＿Ｍ４ＡＬＳ
１２．ＨＥＶＣ＿ＴＳ＿８Ｋ＿ＳＤＲ＿Ｍ４ＡＡＣ
１３．ＨＥＶＣ＿ＭＭＴＴＬＶ＿８Ｋ＿ＳＤＲ＿Ｍ４ＡＡＣ
１４．ＨＥＶＣ＿ＴＳ＿８Ｋ＿ＳＤＲ＿Ｍ４ＡＬＳ
１５．ＨＥＶＣ＿ＭＭＴＴＬＶ＿８Ｋ＿ＳＤＲ＿Ｍ４ＡＬＳ
１６．ＨＥＶＣ＿ＴＳ＿８Ｋ＿ＨＬＧ＿Ｍ４ＡＡＣ
１７．ＨＥＶＣ＿ＭＭＴＴＬＶ＿８Ｋ＿ＨＬＧ＿Ｍ４ＡＡＣ
１８．ＨＥＶＣ＿ＴＳ＿８Ｋ＿ＨＬＧ＿Ｍ４ＡＬＳ
１９．ＨＥＶＣ＿ＭＭＴＴＬＶ＿８Ｋ＿ＨＬＧ＿Ｍ４ＡＬＳ
【００４５】
さらに、２以上のメディアプロファイルが属するデバイスプロファイルを定義することも可能である。例えば、４Ｋ以下の画質に対応するメディアプロファイルである「１」〜「１１」が属するデバイスプロファイルとして「ＲＥＣ２．０  ＳＲＶＥＲ２．０」が定義され、８Ｋ以下の画質に対応するメディアプロファイルである「１」〜「１９」が属するデバイスプロファイルとして「ＲＥＣ３．０  ＳＲＶＥＲ３．０」が定義されてもよい。
【００４６】
以下、機器の選択、記録媒体の選択、映像コンテンツの選択および映像コンテンツのアップロードの各動作を、順次詳細に説明する。
【００４７】
＜５．機器の選択＞
機器の選択においては、放送受信ＳＴＢ２０からの映像コンテンツの送信先となる機器が選択される。
【００４８】
図５は、機器の選択のための詳細な動作を示す説明図である。図５に示したように、放送受信ＳＴＢ２０は、ネットワーク内の機器であるレコーダ３０、デバイス４０＃１およびデバイス４０＃２にＭ−Ｓｅａｒｃｈをマルチキャストする（Ｓ５１０）。Ｍ−Ｓｅａｒｃｈは、ネットワーク内の機器を発見するためのメッセージである。Ｍ−Ｓｅａｒｃｈの具体例は以下に示す通りである。
【００４９】
M-SEARCH
* HTTP/1.1
HOST:239.255.255.250:1900
ST:urn:schemas-upnp-org:device:MediaServer:1
MAN:"ssdp:discover"
MX:2
【００５０】
その後、Ｍ−Ｓｅａｒｃｈを受信した各機器は、Ｍ−Ｓｅａｒｃｈに対する応答を放送受信ＳＴＢ２０に送信する（Ｓ５２０）。Ｍ−Ｓｅａｒｃｈに対する応答は、各機器のＵＲＬを含む。レコーダ３０からのＭ−Ｓｅａｒｃｈに対する応答の具体例は以下に示す通りである。以下において下線で示された部分が、レコーダ３０のＵＲＬに対応する。
【００５１】
NOTIFY*HTTP/1.1
HOST:239.255.255.250:1900
CACHE-CONTROL:max-age=300
LOCATION:http://169.254.226.30:64220/description.xml
NTS:ssdp:alive
SERVER:Sony-BDZ/1.0
Date:Mon,30  Jun  2014  06:47:29  GMT
NT:upnp:rootdevice
USN:uuid:1958564F-B0B6-1FB3-8380-5453ed97f325::upnp:rootdevice
【００５２】
続いて、放送受信ＳＴＢ２０は、各機器からｄｅｖｉｃｅ  ｄｅｓｃｒｉｐｔｉｏｎを取得するために、Ｍ−Ｓｅａｒｃｈに対する応答に含まれる各機器のＵＲＬを指定してＨＴＴＰ  ＧＥＴを送信する（Ｓ５３０）。例えば、レコーダ３０へのＨＴＴＰ  ＧＥＴは、例えば、「HTTP  GET  169.254.226.30:64220/description.xml」である。
【００５３】
その後、ＨＴＴＰ  ＧＥＴを受信した各機器は、レコーダ３０にｄｅｖｉｃｅ  ｄｅｓｃｒｉｐｔｉｏｎを送信する（Ｓ５４０）。レコーダ３０から送信されるｄｅｖｉｃｅ  ｄｅｓｃｒｉｐｔｉｏｎの具体例は以下に示す通りである。なお、以下における<specVersion>はレコーダ３０が対応しているＵＰｎＰのバージョンを示し、<deviceType>はレコーダ３０のＵＰｎＰデバイスとしての能力を示し、<hdlnk:X_HDLNKDOC>〜<jlabs:X_JLABSCAP>はレコーダ３０のＨＤＲＬＳＰＲＬ／ＪＬＡＢとしての能力を示し、<friendlyName>〜<iconList>はユーザに示す際のレコーダ３０の説明を示し、<serviceList>はレコーダ３０がサポートするＵＰｎＰの機能を示す。
【００５４】
<root xmlns="urn:schemas-upnp-org:device-1-0" xmlns:dlna="urn:schemas-dlna-org:device-1-0" xmlns:sptv="urn:schemas-skyperfectv-co-jp:device-1-0" xmlns:hdlnk="urn:schemas-hdlnk-org:device-1-0"xmlns:jlabs="urn:schemas-jlabs-or-jp:device-1-0">
<specVersion>
<major>1</major><minor>0</minor>
</specVersion>
<device>
<deviceType>urn:schemas-upnp-org:device:MediaServer:1</deviceType>
<hdlnk:X_HDLNKDOC>REC-1.00</hdlnk:X_HDLNKDOC>
<sptv:X_SPTVCAP>
REC-1.00,X_SRS-1.00,NEXT_READY-60,MOVE_RES-1.00,
MOVE-1.00,NEXT_MOVE_COPY-60
</sptv:X_SPTVCAP>
<jlabs:X_JLABSDOC>SERVER-1.0</jlabs:X_JLABSDOC>
<jlabs:X_JLABSCAP>
serve-1.0,upload_rec_sink-1.0,margin_rec-1.
0-60,upload_dub_sink-1.0,margin_move-1.0-60
</jlabs:X_JLABSCAP>
<friendlyName>BDZ</friendlyName>
<manufacturer>Sony</manufacturer>
<manufacturerURL>http://www.sony.net/</manufacturerURL>
<modelDescription>BDZ1</modelDescription>
<modelName>Sony-BDZ</modelName>
<modelURL/>
<UDN>uuid:1958564F-B0B6-1FB3-8380-3c0771ab608d</UDN>
<dlna:X_DLNADOC>DMS-1.50</dlna:X_DLNADOC>
<iconList>
<icon>
<mimetype>image/png</mimetype><width>48</width><height>
48</height><depth>24</depth><url>icon-0.png</url>
</icon>
</iconList>
<serviceList>
<service>
<serviceType>urn:schemas-upnp-org:service
:ContentDirectory:1</serviceType>
<serviceId>urn:upnp-org:serviceId
:ContentDirectory</serviceId>
<SCPDURL>/DMSContentDirectory.xml</SCPDURL>
<controlURL>/DMSContentDirectory</controlURL>
<eventSubURL>/DMSContentDirectory</eventSubURL>
</service>
<service>
<serviceType>urn:schemas-upnp-org:service
:ConnectionManager:1</serviceType>
<serviceId>urn:upnp-org:serviceId:
ConnectionManager</serviceId>
<SCPDURL>/CMS.xml</SCPDURL>
<controlURL>/CMS</controlURL>
<eventSubURL>/CMS</eventSubURL>
</service>
</serviceList>
</device>
</root>
【００５５】
続いて、放送受信ＳＴＢ２０は、各機器がサポートしているビデオ機能の一覧の要求を各機器に送信する（Ｓ５５０）。レコーダ３０への当該要求の具体例は以下に示す通りである。
【００５６】
POST/CMS  HTTP/1.1
HOST:  43.2.73.158:64220
SOAPACTION:"urn:schemas-upnp-org:service:ConnectionManager:1#GetProtocolInfo"
CONTENT-TYPE:text/xml;charset="utf-8"
Content-Length:294
<?xml  version="1.0"  encoding="utf-8"?>
<s:Envelopes:encodingStyle="http://schemas.xmlsoap.org/soap/encoding/"xmlns:s="http://schemas.xmlsoap.org/soap/envelope/">
<s:Body>
<u:GetProtocolInfo  xmlns:u="urn:schemas-upnp-org:service:Connection
Manager:1"/>
</s:Body>
</s:Envelope>
【００５７】
その後、サポートしているビデオ機能の一覧の要求を受信した各機器は、サポートしているビデオ機能の一覧をレコーダ３０に送信する（Ｓ５６０）。例えば、レコーダ３０が放送受信ＳＴＢ２０に送信するビデオ機能の一覧の具体例は以下に示す通りである。以下の例では、下線を付した部分に示されているように、レコーダ３０がサポートしているビデオ機能は、ＨＥＶＣ＿ＴＳ＿ＨＤ＿Ｍ２ＡＡＣ、ＨＥＶＣ＿ＴＳ＿４Ｋ＿ＳＤＲ＿Ｍ２ＡＡＣ、および．ＨＥＶＣ＿ＴＳ＿４Ｋ＿ＨＬＧ＿Ｍ２ＡＡＣを含む。放送受信ＳＴＢ２０は、当該一覧から、レコーダ３０が高画質機能を有することを理解し得る。
【００５８】
<?xml
version="1.0"?>
<s:Envelope  xmlns:s=http://schemas.xmlsoap.org/soap/envelope/   s:encodingStyle
="http://schemas.xmlsoap.org/soap/encoding/">
<s:Body>
<u:GetProtocolInfoResponse  xmlns:u="urn:schemas-upnp-org:service:Connection
Manager:1">
<Source>
http-get:*:video/vnd.dlna.mpeg-tts:XXXX.XXX_PN=HEVC_TS_HD_M2AAC
;DLNA.ORG_OP=10;DLNA.ORG_CI=1;DLNA.ORG_FLAGS=01100000000000000000000000000000</Source>
<Source>http-get:*:video/vnd.dlna.mpeg-tts:XXXX.XXX_PN=HEVC_TS_4K_SDR_M2AAC;
DLNA.ORG_OP=10;DLNA.ORG_CI=1;DLNA.ORG_FLAGS=01100000000000000000000000000000</Source>
<Source>http-get:*:video/vnd.dlna.mpeg-tts:XXXX.XXX_PN=HEVC_TS_4K_HLG_M2AAC;DLNA.ORG_OP=10;DLNA.ORG_CI=1;DLNA.ORG_FLAGS=01100000000000000000000000000000</Source>
<Sink></Sink></u:GetProtocolInfoResponse></s:Body></s:Envelope>
【００５９】
続いて、放送受信ＳＴＢ２０の制御部２４０は、各機器から受信されたビデオ機能の一覧に基づき、各機器が高画質機能を有するか否かを判定する（Ｓ５７０）。
【００６０】
そして、放送受信ＳＴＢ２０の制御部２４０は、各機器が高画質機能を有するか否かの判定の結果に基づき、映像コンテンツの送信先となる機器を選択するための選択画面を生成する（Ｓ５８０）。ここで、図６を参照して、当該選択画面の具体例を説明する。
【００６１】
図６は、機器の選択画面の具体例を示す説明図である。図６に示した機器の選択画面は、レコーダ３０を示す選択ボタン７０、デバイス４０＃１を示す選択ボタン７１およびデバイス４０＃２を示す選択ボタン７２を含む。また、機器の選択画面は、各機器が４Ｋ８Ｋに対応しているか否かを示す表示を含む。図６に示した例では、レコーダ３０を示す選択ボタン７０およびデバイス４０＃１を示す選択ボタン７１には「４Ｋ８Ｋ対応」というメッセージが併記されており、当該メッセージは、レコーダ３０およびデバイス４０＃１が高画質機能を有することを示す。
【００６２】
ユーザは、このような機器の選択画面において、各機器が高画質機能を有するか否かを把握した上で、送信先の機器を適切に選択することが可能である。例えば、ユーザが高画質の映像コンテンツを送信することを考えている場合、ユーザは、送信先としてレコーダ３０またはデバイス４０＃１を選択することが可能である。
【００６３】
図７は、機器の選択画面の変形例を示す説明図である。機器の選択に先立って送信対象の映像コンテンツが選択されており、当該映像コンテンツが高画質の映像像コンテンツである場合、機器の選択画面には、高画質機能を有する機器を示す表示が選択可能に表示され、高画質機能を有さない機器を示す表示は選択可能に表示されなくてもよい。図７に示した例では、高画質機能を有するレコーダ３０およびデバイス４０＃１を示す選択ボタン７０および７１が機器の選択画面に含まれる一方、高画質機能を有さないデバイス４０＃２を示す選択ボタンは機器の選択画面に含まれていない。かかる構成により、ユーザはより少ない選択肢の中から容易に送信先の機器を選択することが可能となる。
【００６４】
図８は、機器の選択画面のさらなる変形例を示す説明図である。機器の選択に先立って送信対象の映像コンテンツが選択されており、当該映像コンテンツが高画質の映像コンテンツである場合でも、図８の上段に示したように、ネットワーク内の全ての機器に対応する表示が選択画面に含まれてもよい。しかし、高画質機能に対応していないデバイス４０＃２を示す選択ボタン７２がユーザにより選択された場合、制御部２４０は、図８の下段に示したように、デバイス４０＃２における高画質の映像コンテンツの処理が不可であることを示すメッセージ７４を選択画面に配置してもよい。かかる構成により、ユーザは、デバイス４０＃２が高画質機能を有していないことを理解し、他の機器を送信先として選択することが可能となる。
【００６５】
なお、上記では、制御部２４０が、各機器がサポートしているビデオ機能の一覧に基づき、各機器が高画質機能を有するか否かを判定する例を説明したが、本開示の実施形態はかかる例に限定されない。例えば、各機器は、ｄｅｖｉｃｅ  ｄｅｓｃｒｉｐｔｉｏｎに上述したデバイスプロファイルを含めてもよく、この場合、制御部２４０は、ｄｅｖｉｃｅ  ｄｅｓｃｒｉｐｔｉｏｎに基づいて各機器が高画質機能を有するか否かを判定可能である。以下に、当該変形例によるｄｅｖｉｃｅ  ｄｅｓｃｒｉｐｔｉｏｎの<hdlnk:X_HDLNKDOC>〜<jlabs:X_JLABSCAP>の具体例を示す。以下において下線を示した部分がデバイスプロファイルであり、いずれも機器が高画質機能に対応していることを示す。
【００６６】
<hdlnk:X_HDLNKDOC>REC-1.00</hdlnk:X_HDLNKDOC>
<sptv:X_SPTVCAP>
REC-1.00, REC-2.00,X_SRS-1.00,NEXT_READY-60,MOVE_RES-
1.00,MOVE-1.00,NEXT_MOVE_COPY-60
</sptv:X_SPTVCAP>
<jlabs:X_JLABSDOC>SERVER-1.0,SERVER2.0</jlabs:X_JLABSDOC>
<jlabs:X_JLABSCAP>
serve-1.0,serve-2.0,upload_rec_sink-1.0,margin_rec-1.
0-60,upload_dub_sink-1.0,margin_move-1.0-60
</jlabs:X_JLABSCAP>
【００６７】
放送受信ＳＴＢ２０は、当該ｄｅｖｉｃｅ  ｄｅｓｃｒｉｐｔｉｏｎにより各機器が高画質機能を有するか否かを判定できる場合、各機器にビデオ機能の一覧を要求しなくてもよい。かかる構成により、機器の選択のプロセスを簡素化および短縮することが可能である。ただし、機器がデバイスプロファイルに属する一部のメディアプロファイルに対応しているものの、他のメディアプロファイルに対応していないために、ｄｅｖｉｃｅ  ｄｅｓｃｒｉｐｔｉｏｎに高画質機能に対応するデバイスプロファイルが記載されないことも想定される。このため、放送受信ＳＴＢ２０は、当該ｄｅｖｉｃｅ  ｄｅｓｃｒｉｐｔｉｏｎの取得に加え、各機器がサポートしているビデオ機能の一覧を取得してもよい。
【００６８】
＜６．記録媒体の選択＞
以上、機器の選択のための動作を説明した。続いて、記録媒体の選択のための動作を説明する。ここでは、機器の選択においてレコーダ３０が選択されたものとする。
【００６９】
図９は、記録媒体の選択のための詳細な動作を示す説明図である。図９に示したように、放送受信ＳＴＢ２０は、レコーダ３０がサポートしている記録媒体の一覧の要求をレコーダ３０に送信する（Ｓ６１０）。当該要求の具体例は以下に示す通りである。以下において下線で示された部分が、主にレコーダ３０がサポートしている記録媒体の一覧の要求に対応する。
【００７０】
POST/upnp/control/ContentDirectory  HTTP/1.1
Host:192.168.2.2:64321
User-Agent:UPnP/1.0
DLNADOC/1.50
Content-Length:298
Content-Type:text/xml;charset="utf-8"
SOAPACTION:"urn:schemas-upnp-org:service:ContentDirectory:1#X_HDLnkGet
RecordDestinations"
<?xml  version="1.0"?>
<s:Envelope  xmlns:s="http://schemas.xmlsoap.org/soap/envelope/"s:encodingStyle="http://schemas.xmlsoap.org/soap/encoding/">
<s:Body>
<u:X_HDLnkGetRecordDestinations  xmlns:u="urn:schemas-upnp-org:service
:ContentDirectory:1">
</u:X_HDLnkGetRecordDestinations>
</s:Body>
</s:Envelope>
【００７１】
続いて、レコーダ３０は、記録媒体の一覧の要求を受信すると、記録媒体の一覧を放送受信ＳＴＢ２０に送信する（Ｓ６２０）。記録媒体の一覧の具体例は以下に示す通りである。以下の例では、下線を付した部分において、レコーダ３０が記録媒体として「ｂｄ１．ｃａｃｈｅ」および「ｈｄｄ１」をサポートしていることが示されている。
【００７２】
<?xml  version="1.0"?>
<s:Envelop  xmlns:s="http://schemas.xmlsoap.org/soap/envelope/"s:encodingStyle
="http://schemas.xmlsoap.org/soap/encoding/">
<s:Body>
<u:X_HDLnkGetRecordDestinationsResponse  xmlns:u="urn:schemas-upnp-org
:service:ContentDirectory:1">
<RecordDestinationList>
&lt;?xmlversion=&quot;1.0&quot;encoding=&quot;UTF-8&quot;?&gt;&lt
;RecordDestinations
xmlns=&quot;urn:schemas-hdlnk-org&quot;&gt;&lt;
RecordDestination  destID=&quot;bd1.cache&quot;
version=&quot;1&quot;
updateID=&quot;1&quot;&gt;ISIS  BD&lt;/RecordDestination&gt;&lt;
RecordDestination  destID=&quot;hdd1&quot;version=&quot;1&quot;
updateID=&quot;1&quot;&gt;ISIS
hdd&lt;/RecordDestination&gt
;&lt;/RecordDestinations&gt;
</RecordDestinationList>
</u:X_HDLnkGetRecordDestinationsResponse>
</s:Body>
</s:Envelope>
【００７３】
その後、放送受信ＳＴＢ２０は、各記録媒体の詳細情報の要求をレコーダ３０に送信する（Ｓ６３０）。当該要求の具体例は以下に示す通りである。以下の例において下線を示した部分が、「ｂｄ１．ｃａｃｈｅ」の詳細情報の要求に対応している。
【００７４】
POST/upnp/control/ContentDirectory  HTTP/1.1
Host:192.168.2.2:64321
User-Agent:UPnP/1.0
DLNADOC/1.50
Content-Length:356
Content-Type:text/xml;
charset="utf-8"
SOAPACTION:"urn:schemas-upnp-org:service:ContentDirectory:1#X_HDLnkGetRecord
DestinationInfo"
<?xml
version="1.0"?>
<s:Envelopexmlns:s="http://schemas.xmlsoap.org/soap/envelope/"s:encodingStyle
="http://schemas.xmlsoap.org/soap/encoding/">
<s:Body>
<u:X_HDLnkGetRecordDestinationInfoxmlns:u="urn:schemas-upnp-org:service
:ContentDirectory:1">
<RecordDestinationID>bd1.cache</RecordDestinationID>
</u:X_HDLnkGetRecordDestinationInfo>
</s:Body>
</s:Envelope>
【００７５】
続いて、レコーダ３０は、放送受信ＳＴＢ２０からの要求に応じて「ｂｄ１．ｃａｃｈｅ」の詳細情報を放送受信ＳＴＢ２０に送信する（Ｓ６４０）。「ｂｄ１．ｃａｃｈｅ」の詳細情報の具体例は以下に示す通りである。以下において下線を付した部分が、「ｂｄ１．ｃａｃｈｅ」によりＢＤ８Ｋに映像コンテンツを記録可能であり、「ｂｄ１．ｃａｃｈｅ」にＢＤ８Ｋが装填されていることを示している。すなわち、本開示の実施形態では、記録媒体が高画質機能に対応しているか否かを示す情報がallowedTypesに追加される。なお、ここでは説明を省略するが、Ｓ６３０およびＳ６４０の処理は「ｈｄｄ１」についても実行される。
【００７６】
<?xml
version="1.0"?>
<s:Envelope  xmlns:s="http://schemas.xmlsoap.org/soap/envelope/"s:encodingStyle
="http://schemas.xmlsoap.org/soap/encoding/">
<s:Body>
<u:X_HDLnkGetRecordDestinationInfoResponse  xmlns:u="urn:schemas-upnp-org
:service:ContentDirectory:1">
<RecordDestinationInfo>&lt;?xml  version=&quot;1.0&quot;
encoding
=&quot;UTF-8&quot;?&gt;&lt;RecordDestinationInfo  xmlns=&quot;urn:schemas-
hdlnk-org&quot;  version=&quot;1&quot;  allowedTypes
=&quot;BD,BD8K,NONE&quot;  recordable=&quot;1&quot;  dtcpSupport
=&quot;1&quot;  totalCapacity=&quot;0&quot;  availableCapacity
=&quot;0&quot;&gt;BD8K&lt;/RecordDestinationInfo&gt;
</RecordDestinationInfo>
</u:X_HDLnkGetRecordDestinationInfoResponse>
</s:Body>
</s:Envelope>
【００７７】
その後、放送受信ＳＴＢ２０は、レコーダ３０から受信した各記録媒体の詳細情報に基づき、各記録媒体が高画質の映像コンテンツに対応しているか否かを判定する（Ｓ６５０）。
【００７８】
そして、放送受信ＳＴＢ２０は、各記録媒体が高画質の映像コンテンツに対応しているか否かの判定結果に基づき、映像コンテンツの記録先の記録媒体を選択するための選択画面を生成する（Ｓ６６０）。ここで、図１０を参照して、当該選択画面の具体例を説明する。
【００７９】
図１０は、記録媒体の選択画面の具体例を示す説明図である。図１０に示した機器の選択画面は、ＢＤドライブ３８０を示す選択ボタン８１、ＨＤＤ３７０を示す選択ボタン８２を含む。また、記録媒体の選択画面は、各記録媒体が４Ｋ８Ｋに対応しているか否かを示す表示を含む。図１０に示した例では、ＨＤＤ３７０を示す選択ボタン８２には「４Ｋ８Ｋ対応」というメッセージが併記されており、当該メッセージは、ＨＤＤ３７０への高画質の映像コンテンツの記録が可能であることを示す。一方、ＢＤドライブ３８０を示す選択ボタン８１には「４Ｋ８Ｋ非対応」というメッセージが併記されており、当該メッセージは、ＢＤドライブ３８０が高画質の映像コンテンツに対応していないことを示す。
【００８０】
ユーザは、このような記録媒体の選択画面において、各記録媒体が高画質の映像コンテンツに対応しているか否かを把握した上で、記録先の記録媒体を適切に選択することが可能である。例えば、ユーザが高画質の映像コンテンツを送信することを考えている場合、ユーザは、記録先としてＨＤＤ３７０を選択することが可能である。
【００８１】
図１１は、記録媒体の選択画面の変形例を示す説明図である。記録媒体の選択に先立って送信対象の映像コンテンツが選択されており、当該映像コンテンツが高画質の映像像コンテンツである場合、記録媒体の選択画面には、高画質機能に対応する記録媒体を示す表示が選択可能に表示され、高画質機能に非対応である記録媒体を示す表示は選択可能に表示されなくてもよい。図１１に示した例では、高画質機能を有するＨＤＤ３７０を示す選択ボタン８２が記録媒体の選択画面に含まれる一方、高画質機能を有さないＢＤドライブ３８０を示す選択ボタンは記録媒体の選択画面に含まれていない。かかる構成により、ユーザはより少ない選択肢の中から容易に記録先の記録媒体を選択することが可能となる。
【００８２】
図１２は、記録媒体の選択画面の他の変形例を示す説明図である。記録媒体の選択に先立って送信対象の映像コンテンツが選択されており、当該映像コンテンツが高画質の映像コンテンツである場合でも、図１２の上段に示したように、送信先の機器が有する全ての記録媒体に対応する表示が選択画面に含まれてもよい。しかし、高画質機能に対応していないＢＤドライブ３８０を示す選択ボタン８１がユーザにより選択された場合、制御部２４０は、図１２の下段に示したように、ＢＤドライブ３８０における高画質の映像コンテンツの処理が不可であることを示すメッセージ８４を選択画面に配置してもよい。かかる構成により、ユーザは、ＢＤドライブ３８０が高画質の映像コンテンツに対応していないことを理解し、他の記録媒体を記録先として選択することが可能となる。
【００８３】
図１３は、記録媒体の選択画面のさらなる変形例を示す説明図である。図１３の上段には、図１２の上段と同一の選択画面が示されている。ここで、高画質機能に対応していないＢＤドライブ３８０を示す選択ボタン８１がユーザにより選択され、記録媒体の詳細情報におけるallowedTypesにＢＤ８Ｋが記載され、かつ、記録可能なメディアが装填されていない場合には、制御部２４０は、図１３の下段に示すように、高画質の映像コンテンツに対応しているメディアの装填を促すメッセージ８６を選択画面に配置してもよい。かかる構成により、ユーザはメディアの装填の必要性を理解し、装填されたメディアを記録先として利用することが可能となる。
【００８４】
＜７．映像コンテンツの選択＞
以上、記録媒体の選択のための動作を説明した。続いて、映像コンテンツの選択のための動作を説明する。
【００８５】
制御部２４０は、放送波に含まれる番組表情報に基づき、複数の映像コンテンツのタイトルを含む番組表画面を生成し、表示装置に番組表画面を表示させる。ユーザは、当該番組表画面から所望の映像コンテンツを選択する。
【００８６】
＜８．映像コンテンツのアップロード＞
以上、映像コンテンツの選択のための動作を説明した。続いて、映像コンテンツのアップロードのための動作を説明する。
【００８７】
図１４は、映像コンテンツのアップロードのための詳細な動作を示す説明図である。図１４に示したように、放送受信ＳＴＢ２０は、ユーザにより選択された記録先を指定する情報であるＣｏｎｔａｉｎｅｒＩＤの要求をレコーダ３０に送信する（Ｓ７１０）。ＣｏｎｔａｉｎｅｒＩＤの要求の具体例は以下に示す通りである。以下における下線の部分が、記録先の記録媒体が「ｈｄｄ１」であることを示している。
【００８８】
POST  /upnp/control/ContentDirectory  HTTP/1.1
Host:192.168.2.2:64321User-Agent:UPnP/1.0
DLNADOC/1.50
Content-Length:1311
Content-Type:text/xml;  charset="utf-8"
SOAPACTION:"urn:schemas-upnp-org:service:ContentDirectory:1#X_HDLnkGetRecord
ContainerID"
<?xml  version="1.0"?>
<s:Envelope  xmlns:s="http://schemas.xmlsoap.org/soap/envelope/"s:encodingStyle
="http://schemas.xmlsoap.org/soap/encoding/">
<s:Body>
<u:X_HDLnkGetRecordContainerID  xmlns:u="urn:schemas-upnp-org:service
:ContentDirectory:1">
<RecordDestinationID>hdd1</RecordDestinationID>
<Element>&lt;?xml version=&quot;1.0&quot;?&gt;
&lt;DIDL-Lite
xmlns:dc=&quot;http://purl.org/dc/elements/1.1/&quot;
xmlns=&quot;urn:schemas-upnp-org:metadata-1-0/DIDL-Lite/&quot;
xmlns:upnp=&quot;urn:schemas-upnp-org:metadata-1-0/upnp/&quot;
xmlns:dlna=&quot;urn:schemas-dlna-org:metadata-1-0/&quot;
xmlns:arib=&quot;urn:schemas-arib-or-jp:elements-1-0/&quot;&gt;
&lt;item  id=&quot;&quot;  parentID=&quot;VIDEO&quot;  restricted=&quot;0&quot;&gt;&lt;dc:title&gt;ahoaho&lt;/dc:title&gt;&lt;upnp:class&gt;object.item.videoItem&lt;/upnp:class&gt;&lt;upnp:genre&gt;genre&lt;/upnp:genre&gt;&lt;res  protocolInfo=&quot;*:*:application/x-dtcp1;DTCP1HOST=00.00.00.00;DTCP1PORT=0000;CONTENTFORMAT=video/vnd.hdlnk.mpeg-tts:DLNA.ORG_PN=MPEG_TS_SD_EU_T&quot;  size=&quot;257247732&quot;  dlna:cleartextSize=&quot;257244288&quot;  bitrate=&quot;506095&quot;  duration=&quot;119000&quot;&gt;&lt;/res&gt;&lt;/item&gt;&lt;/DIDL-Lite&gt;
</Element>
</u:X_HDLnkGetRecordContainerID>
</s:Body>
</s:Envelope>
【００８９】
続いて、レコーダ３０が放送受信ＳＴＢ２０にＣｏｎｔａｉｎｅｒＩＤを送信する。ＣｏｎｔａｉｎｅｒＩＤの具体例は以下に示す通りである。以下における下線の部分で、ＣｏｎｔａｉｎｅｒＩＤが「ＶＩＤＥＯ」であることが示されている。
【００９０】
<?xml
version="1.0"?>
<s:Envelope  xmlns:s="http://schemas.xmlsoap.org/soap/envelope/"s:encoding
Style="http://schemas.xmlsoap.org/soap/encoding/">
<s:Body>
<u:X_HDLnkGetRecordContainerIDResponse  xmlns:u="urn:schemas-upnp-org:service:ContentDirectory:1">
<ContainerID>VIDEO</ContainerID>
</u:X_HDLnkGetRecordContainerIDResponse>
</s:Body>
</s:Envelope>
【００９１】
その後、放送受信ＳＴＢ２０は、ＣｏｎｔａｉｎｅｒＩＤを用いてＣｒｅａｔｅＯｂｊｅｃｔ（ＣｏｎｔａｉｎｅｒＩＤ）をレコーダ３０に送信する（Ｓ７３０）。ＣｒｅａｔｅＯｂｊｅｃｔ（ＣｏｎｔａｉｎｅｒＩＤ）の具体例は以下に示す通りである。以下の例では、ＣｏｎｔａｉｎｅｒＩＤとしては「ＶＩＤＥＯ」が指定されている。なお、記録先をレコーダ３０に任せる場合には、「ＡｎｙＣｏｎｔａｉｎｅｒ」が指定される。また、「res  protocolInfo」では、映像コンテンツのメディアプロファイルがHEVC_TS_4K_SDR_M2AACであることなど、映像コンテンツの詳細を示す情報が示される。
【００９２】
POST/DMSContentDirectory  HTTP/1.1
X-AV-Physical-Unit-Info:pa="DST-HD1";pl=RFNULUhEMQ==;
X-AV-Client-Info:av=5.0;cn="Sony  Corporation";mn="DST-HD1";mv="1.0";
Host:192.168.16.210:64220
User-Agent:UPnP/1.0
DLNADOC/1.50
Content-Length:1717
Content-Type:text/xml;charset="utf-8"
X-PARENTALLOCK:
SOAPACTION
"urn:schemas-upnp-org:service:ContentDirectory:1#CreateObject"
<?xml  version="1.0"  encoding="UTF-8"?>
<s:Envelope  xmlns:s="http://schemas.xmlsoap.org/soap/envelope/"s:encodingStyle
="http://schemas.xmlsoap.org/soap/encoding/"><s:Body>
<u:CreateObject  xmlns:u="urn:schemas-upnp-org:service:ContentDirectory:1">
<ContainerID>VIDEO</ContainerID><Elements>
<DIDL-Lite  xmlns:dc="http://purl.org/dc/elements/1.1/"
xmlns="urn:schemas-upnp-org:metadata-1-0/DIDL-Lite/"
xmlns:upnp="urn:schemas-upnp-org:metadata-1-0/upnp/"
xmlns:dlna="urn:schemas-dlna-org:metadata-1-0/"
xmlns:arib="urn:schemas-arib-or-jp:elements-1-0/"
xmlns:dtcp="urn:schemas-dtcp-com:metadata-1-0/"
xmlns:sptv="urn:schemas-skyperfectv-co-jp:elements-1-0/"
xmlns:xsrs="urn:schemas-xsrs-org:metadata-1-0/x-srs/"
<item  id=""parentID="DLNA.ORG_AnyContainer"  restricted="0">
<dc:title>................................................#1......</dc:title>
<arib:objectType>SPTV_CS</arib:objectType>
<upnp:class>object.item.videoItem</upnp:class>
<upnp:genre>...............</upnp:genre>
<upnp:channelName>.....................X(AT-X)</upnp:channelName>
<upnp:channelNr>729</upnp:channelNr>
<dc:date>2009-10-20T13:59:21</dc:date>
<xsrs:reservationID>0x0000000000000155</xsrs:reservationID>
<res  protocolInfo=“http-get:*:video/vnd.dlna.mpeg-tts:XXXX.XXX_PN=HEVC_TS_4K_SDR_M2AAC;DLNA.ORG_OP
=10;DLNA.ORG_CI=1;DLNA.ORG_FLAGS=01100000000000000000000000000000”></res>
</item>
</DIDL-Lite>
</Elements>
</u:CreateObject>
</s:Body>
</s:Envelope>  
【００９３】
続いて、レコーダ３０はｉｍｐｏｒｔＵＲＩを含む情報を放送受信ＳＴＢ２０に送信する（Ｓ７４０）。ｉｍｐｏｒｔＵＲＩを含む情報の具体例は以下に示す通りである。以下の例で下線の部分がｉｍｐｏｒｔＵＲＩに対応する。
【００９４】
<?xml  version="1.0"?>
<s:Envelope  xmlns:s="http://schemas.xmlsoap.org/soap/envelope/"  s:encodingStyle="http://schemas.xmlsoap.org/soap/encoding/">
<s:Body>
<u:CreateObjectResponse  xmlns:u="urn:schemas-upnp-org:service:ContentDirectory:1">
<ObjectID>UL_1</ObjectID>  
<Result>
<DIDL-Lite  xmlns:dc="http://purl.org/dc/elements/1.1/"  xmlns="urn:schemas-upnp-org:metadata-1-0/DIDL-Lite/"  xmlns:upnp="urn:schemas-upnp-org:metadata-1-0/upnp/"  xmlns:dlna="urn:schemas-dlna-org:metadata-1-0/"  xmlns:arib
="urn:schemas-arib-or-jp:elements-1  -  0/"  xmlns:dtcp="urn:schemas-dtcp-com:metadata-1-0/"  xmlns:sptv="urn:schemas-skyperfectv-co-jp:elements-1-0/"  xmlns:xsrs="urn:schemas-xsrs-org:metadata-1-0/x-srs/">
<item  id="UL_1"  parentID="AllUploads"  restricted="0"  dlna:dlnaManaged
="00000004">
<dc:title>............................................  #1...  ...</dc:title>
<arib:objectType>SPTV_CS</arib:objectType>
<upnp:genre>...............</upnp:genre>
<upnp:channelName>.....................X(AT-X)</upnp:channelName>
<upnp:channelNr>729</upnp:channelNr>
<res  protocolInfo="   http-get:*:video/vnd.dlna.mpeg-tts:XXXX.XXX
_PN
=HEVC_TS_4K_SDR_M2AAC;DLNA.ORG_OP=10;DLNA.ORG_CI=1;DLNA.ORG_FLAGS=01100000000000000000000000000000”"importUri="http://192.168.16.210:60151/UpObjID=UL_1"></res>
<upnp:class>object.item.videoItem.movie</upnp:class>
</item>
</DIDL-Lite>
</Result>
</u:CreateObjectResponse>
</s:Body>
</s:Envelope>
【００９５】
その後、放送受信ＳＴＢ２０は、ｉｍｐｏｒｔＵＲＩを用いてＨＴＴＰ  ＰＯＳＴにより映像コンテンツのアップロードを行い（Ｓ７５０）、ｃｈｕｎｋＳｉｚｅが「０」になると終了通知をレコーダ３０に送信する（Ｓ７６０）。
【００９６】
＜９．作用効果＞
以上説明した本開示の実施形態によれば、多様な作用効果が得られる。
【００９７】
例えば、放送受信ＳＴＢ２０は、ネットワーク内の各機器が高画質機能を有するか否かを判定し、当該判定結果に基づいて機器の選択画面を生成することができる。このため、ユーザは高画質な映像コンテンツの送信先を適切に選択し、放送受信ＳＴＢ２０が当該送信先に放送受信ＳＴＢ２０が高画質な映像コンテンツを送信することが可能となる。
【００９８】
また、放送受信ＳＴＢ２０は、送信先の機器が有する各記録媒体が高画質機能を有するか否かを判定し、当該判定結果に基づいて記録媒体の選択画面を生成することができる。このため、ユーザは高画質な映像コンテンツの記録先を適切に選択し、当該記録先への高画質な映像コンテンツの記録を実現することが可能となる。
【００９９】
上記に伴い、ＴＶに接続されているＨＤＤに記録されているデバイスバインドであった映像コンテンツを他の機器に移動させることが可能になるので、ＴＶに接続されているＨＤＤの容量が満たされても、当該ＨＤＤに記録された映像コンテンツをＢＤなどのメディアに書き出すことが可能となる。
【０１００】
＜１０．変形例＞
以上、本開示の実施形態を説明した。以下では、本開示の実施形態の幾つかの変形例を説明する。なお、以下に説明する各変形例は、単独で本開示の実施形態に適用されてもよいし、組み合わせで本開示の実施形態に適用されてもよい。また、各変形例は、本開示の実施形態で説明した構成に代えて適用されてもよいし、本開示の実施形態で説明した構成に対して追加的に適用されてもよい。
【０１０１】
（第１の変形例）
上記では映像コンテンツの記録のために映像コンテンツを放送受信ＳＴＢ２０が送信する例を説明したが、放送受信ＳＴＢ２０は、映像コンテンツの表示のために映像コンテンツを他の機器に送信してもよい。この場合、図４などを参照して説明した記録媒体の選択の動作が省略される。
【０１０２】
（第２の変形例）
上記では、機器の選択画面において機器が選択される例を説明したが、機器の選択画面は生成されなくてもよい。例えば、ネットワーク内に機器が１つしなかない場合、および、送信対象の映像コンテンツに対応する機能を有する機器が１つしかない場合には、放送受信ＳＴＢ２０はユーザ操作を経ずに当該機器を送信先に決定してもよい。また、放送受信ＳＴＢ２０は、複数の機器が存在する場合であっても、ランダム、過去のユーザの選択履歴、各機器の使用状況などに応じて、いずれかの機器を自動的に選択してもよい。
【０１０３】
同様に、上記では記録媒体の選択画面において記録媒体が選択される例を説明したが、記録媒体の選択画面は生成されなくてもよい。例えば、映像コンテンツの送信先の機器が記録媒体を１つしか有さない、または、送信対象の映像コンテンツに対応する記録媒体を１つしか有さない場合には、放送受信ＳＴＢ２０はユーザ操作を経ずに当該記録媒体を記録先に決定してもよい。また、放送受信ＳＴＢ２０は、複数の記録媒体が存在する場合であっても、ランダム、過去のユーザの選択履歴、各記録媒体の使用状況などに応じて、いずれかの記録媒体を自動的に選択してもよい。
【０１０４】
（その他）
なお、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１０５】
例えば、放送受信ＳＴＢ２０およびレコーダ３０の処理における各ステップは、必ずしもシーケンス図またはフローチャートとして記載された順序に沿って時系列に処理する必要はない。例えば、放送受信ＳＴＢ２０およびレコーダ３０の処理における各ステップは、フローチャートとして記載した順序と異なる順序で処理されても、並列的に処理されてもよい。
【０１０６】
また、放送受信ＳＴＢ２０およびレコーダ３０に内蔵されるＣＰＵ、ＲＯＭおよびＲＡＭなどのハードウェアに、上述した放送受信ＳＴＢ２０およびレコーダ３０の各構成と同等の機能を発揮させるためのコンピュータプログラムも作成可能である。また、該コンピュータプログラムを記憶させた記憶媒体も提供される。
【０１０７】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１０８】
また、以下のような構成も本開示の技術的範囲に属する。
（１）
１または２以上の映像処理装置から前記１または２以上の映像処理装置の各々の装置情報を受信する通信部と、
前記通信部により受信された１または２以上の装置情報に基づき、前記１または２以上の映像処理装置の各々が高画質機能を有するか否かを判定し、ここで、前記高画質機能は４Ｋ以上のいずれかの高画質に対応する機能である、判定部と、
を備え、
前記通信部は、前記高画質の映像コンテンツを、前記判定部により前記高画質機能を有すると判定された映像処理装置に送信する、映像通信装置。
（２）
前記映像通信装置は、前記判定部による判定結果に基づき、映像コンテンツの送信先の映像処理装置の選択画面を生成する表示制御部をさらに備え、
前記通信部は、前記映像処理装置の選択画面において選択された映像処理装置に前記高画質の映像コンテンツを送信する、前記（１）に記載の映像通信装置。
（３）
前記映像処理装置の選択画面は、前記１または２以上の映像処理装置の各々を示す表示、および前記１または２以上の映像処理装置の各々が前記高画質機能を有するか否かを示す表示を含む、前記（２）に記載の映像通信装置。
（４）
前記映像コンテンツの画質が前記高画質である場合、前記映像処理装置の選択画面には、前記１または２以上の映像処理装置のうちで、前記高画質機能を有する映像処理装置を示す表示は選択可能に表示され、前記高画質機能を有さない映像処理装置を示す表示は選択可能に表示されない、前記（２）に記載の映像通信装置。
（５）
前記映像処理装置の選択画面は、前記１または２以上の映像処理装置の各々を示す表示を含み、
前記映像コンテンツの画質が前記高画質であり、かつ、前記映像処理装置の選択画面において前記高画質機能を有さない映像処理装置が選択された場合、前記表示制御部は前記映像処理装置における前記映像コンテンツの処理が不可であることを示す表示を前記映像処理装置の選択画面に配置する、前記（２）に記載の映像通信装置。
（６）
前記通信部は、前記装置情報として、ＵＰｎＰにおいて定義されるＭ−Ｓｅａｒｃｈに対する応答情報に含まれるＵＲＬを指定して取得されるｄｅｖｉｃｅ  ｄｅｓｃｒｉｐｔｉｏｎ、および、ＧｅｔＰｒｏｔｏｃｏｌＩｎｆｏにより取得される前記映像処理装置がサポートする機能の一覧、を受信する、前記（１）〜（５）のいずれか一項に記載の映像通信装置。
（７）
前記ｄｅｖｉｃｅ  ｄｅｓｃｒｉｐｔｉｏｎには、複数のメディアプロファイルが属するデバイスプロファイルが含まれる、前記（６）に記載の映像通信装置。
（８）
前記通信部は、前記映像処理装置の選択画面において選択された映像処理装置から、当該映像処理装置による記録先となる記録媒体に関する媒体情報を受信し、
前記判定部は、前記記録媒体への前記高画質の映像コンテンツの記録が可能であるか否かを前記媒体情報に基づいて判定し、
前記表示制御部は、前記判定部による判定結果に基づき、前記映像コンテンツの記録先の記録媒体の選択画面を生成する、前記（２）〜（５）のいずれか一項に記載の映像通信装置。
（９）
前記記録媒体の選択画面は、１または２以上の前記記録媒体の各々を示す表示、および前記１または２以上の記録媒体の各々への前記高画質の映像コンテンツの記録が可能であるか否かを示す表示を含む、前記（８）に記載の映像通信装置。
（１０）
前記映像コンテンツの画質が前記高画質である場合、前記記録媒体の選択画面には、前記高画質の映像コンテンツに対応する記録媒体を示す表示は選択可能に表示され、前記高画質の映像コンテンツに対応しない記録媒体を示す表示は選択可能に表示されない、前記（８）に記載の映像通信装置。
（１１）
前記記録媒体の選択画面は、１または２以上の前記記録媒体の各々を示す表示を含み、
前記映像コンテンツの画質が前記高画質であり、かつ、前記記録媒体の選択画面において前記高画質の映像コンテンツに対応しない記録媒体が選択された場合、前記表示制御部は前記記録媒体への前記映像コンテンツの記録が不可であることを示す表示を前記記録媒体の選択画面に配置する、前記（８）に記載の映像通信装置。
（１２）
前記通信部は、前記映像処理装置の選択画面において選択された映像処理装置に、前記記録媒体の選択画面において選択された記録媒体を指定する情報、および前記映像コンテンツのメディアプロファイルを示す情報を送信する、前記（８）〜（１１）のいずれか一項に記載の映像通信装置。
（１３）
１または２以上の映像処理装置から前記１または２以上の映像処理装置の各々の装置情報を受信することと、
受信された１または２以上の装置情報に基づき、前記１または２以上の映像処理装置の各々が高画質機能を有するか否かをプロセッサにより判定することと、ここで、前記高画質機能は４Ｋ以上のいずれかの高画質に対応する機能であり、
前記高画質の映像コンテンツを、前記高画質機能を有すると判定された映像処理装置に送信することと、
を含む、映像通信方法。
（１４）
４Ｋ以上のいずれかの高画質に対応する高画質機能を有する映像処理部と、
映像通信装置からの要求に応じて、前記映像処理部が有する前記高画質機能を示す情報を含む装置情報を前記映像通信装置に送信し、前記映像通信装置から前記高画質の映像コンテンツを受信する通信部と、
を備える、映像処理装置。
（１５）
映像通信装置から装置情報の要求を受信することと、
４Ｋ以上のいずれかの高画質に対応する高画質機能を示す情報を含む前記装置情報の前記映像通信装置への送信をプロセッサにより制御することと、
前記映像通信装置から前記高画質の映像コンテンツを受信することと、
を含む、情報処理方法。
【符号の説明】
【０１０９】
２０  放送受信ＳＴＢ
３０  レコーダ
４０  デバイス
５０  ＤＨＣＰルータ
２２０  放送受信部
２３０  操作部
２４０  制御部
２５０  記憶部
２６０  通信部
３４０  制御部
３６０  通信部
３７０  ＨＤＤ
３８０  ＢＤドライブ
【図１】
2019176262.tif 000003
【図２】
2019176262.tif 000004
【図３】
2019176262.tif 000005
【図４】
2019176262.tif 000006
【図５】
2019176262.tif 000007
【図６】
2019176262.tif 000008
【図７】
2019176262.tif 000009
【図８】
2019176262.tif 000010
【図９】
2019176262.tif 000011
【図１０】
2019176262.tif 000012
【図１１】
2019176262.tif 000013
【図１２】
2019176262.tif 000014
【図１３】
2019176262.tif 000015
【図１４】
2019176262.tif 000016
【国際調査報告】
2019176262.tif 000017
2019176262.tif 000018
2019176262.tif 000019
2019176262.tif 000020